(57)【特許請求の範囲】
【請求項１】
上部が開口した袋状本体を備え、該袋状本体の下部または底部に一または複数の排水用筒状体が付設され、該排水用筒状体が、流し台シンクのコーナー部から排水口まで伸び且つ結ぶことが可能な長さとなされている流し台シンク用ゴミ袋の使用方法であって、前記排水用筒状体から生ゴミの水分を流し台の排水口に直接的に排水することを特徴とする、流し台シンク用ゴミ袋の使用方法。
【請求項２】
袋状本体が折り畳み自在となされている、請求項１記載の流し台シンク用ゴミ袋の使用方法。
【請求項３】
排水用筒状体が、袋状本体とは別体のパイプ状であって、袋状本体の下部または底部に付設されている、請求項１または請求項２記載の流し台シンク用ゴミ袋の使用方法。
【請求項４】
袋状本体の側部にマチが形成されている、請求項１〜請求項３のうちのいずれか一項記載の流し台シンク用ゴミ袋の使用方法。
【請求項５】
袋状本体の底部にマチが形成されている、請求項１〜請求項４のうちのいずれか一項記載の流し台シンク用ゴミ袋の使用方法。
【請求項６】
袋状本体が自立可能となされている、請求項１〜請求項５のうちのいずれか一項記載の流し台シンク用ゴミ袋の使用方法。
【請求項７】
上部開口がジッパーによって開閉自在となされている、請求項１〜請求項６のうちのいずれか一項記載の流し台シンク用ゴミ袋の使用方法。
【請求項８】
請求項１〜請求項７のうちのいずれか一項記載の流し台シンク用ゴミ袋の使用方法であって、該流し台シンク用ゴミ袋が収容される上部が開口した有底状の収容体を併用し、該収容体の底部には、前記流し台シンク用ゴミ袋の排水用筒状体を挿通するための一または複数の透孔が形成され、前記収容体に流し台シンク用ゴミ袋を装着し、収容体の前記透孔に流し台シンク用ゴミ袋の排水用筒状体を通して排水することを特徴とする、流し台シンク用ゴミ袋の使用方法。
【請求項９】
収容体の上部開口に蓋が装着されている、請求項８記載の流し台シンク用ゴミ袋の使用方法。
【発明の詳細な説明】
【技術分野】
【０００１】
本発明は、主として流し台シンクのコーナー部等において使用される生ゴミを入れるゴミ袋に関する。
【背景技術】
【０００２】
一般に流し台シンクのコーナー部において使用されるゴミ袋は、流し台シンクのコーナー部に合致する平面から見て略三角形の有底開口容器内にセットされるものであり、そして、当該ゴミ袋は、全体が不織布やネットで構成されたり、或いは袋全体が合成樹脂フィルム製のものは、底部に水切り用の小孔が多数形成されており、このようなゴミ袋に生ゴミが入れられると、該生ゴミの水分が当該袋の底部から流れ出る構造となっている。そして、前記三角コーナー用の有底容器の底部も網目状や多数のスリット状孔が列設された構造となっているため、当該ゴミ袋内の生ゴミの水分は当該ゴミ袋の底部および前記三角コーナー用の有底容器の底部から流れ出て、最終的には流し台シンクの排水口から排出されることとなる。
【０００３】
また近年では、前記三角コーナー用の有底容器を使用しない自立型のゴミ袋も開発されているが、該ゴミ袋においても生ゴミを入れると、その水分は当該袋底部に形成された多数の小孔から流れ出て、最終的には流し台シンクの排水口から排出されることとなる。
【０００４】
更に、他のゴミ袋としては、流し台シングの側面に吸着する吸盤を備えたリング状の袋支持手段と、該袋支持手段内に装着されるゴミ袋であって、その上部開口の両端部に該開口を閉止するストッパ部が形成され、下部には多数の水切り穴が列設されたものも知れている。
【先行技術文献】
【特許文献】
【０００５】
【特許文献１】特開２００８−１２０５７３号公報
【発明の概要】
【発明が解決しようとする課題】
【０００６】
前述した通り、流し台シンクのコーナー部にセットされるゴミ袋には種々の材質や構造のものが開発されているが、いずれのものも生ゴミが入れられた際の水分は当該袋底部から流れ出てシンク底面の傾斜に沿って排水口へ流れ落ちるため、シンクの底面が生ゴミの水分で汚れるという問題がある。
【０００７】
また、平面から見て略三角形の有底開口容器内にセットされるゴミ袋では、前述したシンク底面の汚れの他に、前記の有底開口容器の底部の汚れ、該汚れの堆積によって、衛生上の問題もあり、また該汚れの堆積が多い場合には、当該ゴミ袋の底部が前記有底開口容器の内底面に引っ付いてゴミ袋の取り外しが困難になる場合もあった。更に、従来の流し台シンクのコーナー部にセットされるゴミ袋は、少なくとも下部に多数の小孔や網目状孔が形成されて、生ゴミの水分が前記小孔や網目状孔から流れ出る構造であったため、生ゴミが入った状態で該ゴミ袋を捨てる際に、前記小孔や網目状孔から水分が滴り落ちるため、流し台横の床面が前記滴で濡れて汚れるという問題があった。
【０００８】
本発明の目的は、前述した種々の問題を一挙に解決することができる流し台シンク用ゴミ袋を提供することにある。
【課題を解決するための手段】
【０００９】
請求項１記載の本発明は、上部が開口した袋状本体を備え、該袋状本体の下部または底部に一または複数の排水用筒状体が付設され、該排水用筒状体は、流し台シンクのコーナー部から排水口まで伸び且つ結ぶことが可能な長さとなされている流し台シンク用ゴミ袋である。
【００１０】
請求項２記載の本発明は、前記請求項１記載の流し台シンク用ゴミ袋について、袋状本体が折り畳み自在となされていることを特徴とする。
【００１１】
請求項３記載の本発明は、前記請求項１または請求項２記載の流し台シンク用ゴミ袋について、排水用筒状体が、袋状本体とは別体のパイプ状であって、袋状本体の下部または底部に付設されていることを特徴とする。
【００１２】
請求項４記載の本発明は、前記請求項１〜請求項３のうちのいずれか一項記載の流し台シンク用ゴミ袋について、袋状本体の側部にマチが形成されていることを特徴とする。
【００１３】
請求項５記載の本発明は、前記請求項１〜請求項４のうちのいずれか一項記載の流し台シンク用ゴミ袋について、袋状本体の底部にマチが形成されていることを特徴とする。
【００１４】
請求項６記載の本発明は、前記請求項１〜請求項５のうちのいずれか一項記載の流し台シンク用ゴミ袋について、袋状本体が自立可能となされていることを特徴とする。
【００１５】
請求項７記載の本発明は、前記請求項６記載の流し台シンク用ゴミ袋について、上部開口がジッパーによって開閉自在となされていることを特徴とする。
【００１６】
請求項８記載の本発明は、前記請求項１〜請求項７のうちのいずれか一項記載の流し台シンク用ゴミ袋が収容される上部が開口した有底状の収容体を備え、該収容体の底部に、流し台シンク用ゴミ袋の排水用筒状体を挿通するための該排水用筒状体の横断面形に対応する専用の透孔が一または複数形成されている、流し台シンク用ゴミ容器である。
【００１７】
請求項９記載の本発明は、前記請求項８記載の流し台シンク用ゴミ容器について、収容体の上部開口に蓋が装着されているものである。
【発明の効果】
【００１８】
本発明の流し台シンク用ゴミ袋は、その袋状本体の下部または底部に排水用筒状体が付設された構造であるため、該排水用筒状体によって、袋状本体に入れられた生ゴミ等の水分が容易に排出され得る。また、本発明に係るゴミ袋では、生ゴミが入った状態で当該ゴミ袋を捨てる際に、従来のゴミ袋とは異なり、手を汚すことなく、前記袋状本体を手で絞って排水用筒状体から生ゴミの水分を十分に排出することができ、また排水用筒状体を締結（結ぶ）等にして排水用筒状体を閉止さえすれば、袋状本体から水分が滴り落ちることも全くないため、生ゴミを捨てる際に、従来のゴミ袋のように、流し台横の床が汚れるおそれも全くないという実用的利点を有する。
【００１９】
更に、袋状本体を自立可能とした本発明の流し台シンク用ゴミ袋によれば、三角コーナー用ゴミ容器等の収容体を使用する必要がなくなる。
【００２０】
また、袋状本体の上部開口がジッパーによって開閉自在となされた本発明の流し台シンク用ゴミ袋によれば、前記ジッパーを閉じることで、袋状本体内に収容された生ゴミ等の臭いを閉止し得るという利点がある。
【００２１】
また更に、前述した本発明に係る流し台シンク用ゴミ袋が収容される上部が開口した有底状の収納体を備え、該収容体の底部に流し台シンク用ゴミ袋の排水用筒状体が挿通される透孔が形成され、収容体の上部開口に蓋が装着された本発明に係る流し台シンク用ゴミ容器によれば、袋状本体内に収容された生ゴミ等の臭いを閉止し得るという利点がある。
【図面の簡単な説明】
【００２２】
【図１】本発明の実施形態１に係る流し台シンク用ゴミ袋の正面図である。
【図２】同実施形態１に係る流し台シンク用ゴミ袋の平面図である。
【図３】同実施形態１の流し台シンク用ゴミ袋を収容体に装着した状態の縦断面図である。
【図４】同実施形態１の流し台シンク用ゴミ袋を収容体に装着した状態の平面図である。
【図５】同実施形態１の流し台シンク用ゴミ袋において、排水用筒状体を別体構成とした場合の正面図である。
【図６】実施形態２に係る流し台シンク用ゴミ袋の正面図である。
【図７】同実施形態２に係る流し台シンク用ゴミ袋の変形例を示す正面図である。
【図８】実施形態３に係る流し台シンク用ゴミ袋の斜視図である。
【図９】同実施形態３に係る流し台シンク用ゴミ袋の上部開口を閉じた状態の斜視図である。
【図１０】実施形態４に係る流し台シンク用ゴミ袋の斜視図である。
【図１１】実施形態５に係る流し台シンク用ゴミ袋の正面図である。
【発明を実施するための形態】
【００２３】
次に、本発明の実施形態を図面にしたがって説明するが、本発明はかかる実施形態に限定されるものではない。
（実施形態１）
【００２４】
図１および図２に示すように、本実施形態に係る流し台シンク用ゴミ袋１は、全体が合成樹脂製のシートまたはフィルムで構成された上部が開口した袋状本体２を備え、該袋状本体２の底部に該袋状本体２と同素材からなる排水用筒状体３が付設されている。
【００２５】
より詳細には、本実施形態では、前記袋状本体２は、正面から見て方形であって、前面部２ａと後面部２ｂとからなり、マチを有しない形態であって、その下縁２ｃにおける左右方向中央部分に前記排水用筒状体３が一体に延成されて、該排水用筒状体３およびこれと一体の前記袋状本体が折り畳み自在となされているものである。
【００２６】
なお、本実施形態および後述する各実施形態において、排水用筒状体の長さは、通常、流し台シンクのコーナー部から排水口まで伸びる十分な長さとする。
【００２７】
図３および図４に示すように、本実施形態に係る流し台シンク用ゴミ袋１は、従来のゴミ袋と同様に、平面から見て三角形の上部が開口した収容体５（三角コーナーゴミ容器）の内側に被せるように装着するものであるが、本発明においては、前記収容体５の底面中央部分に前記流し台シンク用ゴミ袋１の排水用筒状体３が挿通される透孔５ａが形成されている。また、本実施形態では、必要に応じて、前記収容体５の上部開口に蓋５０が装着される。なお、図中５ｂは前記収容体５（三角コーナーゴミ容器）の脚体を示す。
【００２８】
なお、収容体５の形状は、本実施形態では、前述した通り、平面から見て三角形の上部が開口した三角コーナーゴミ容器としたが、本発明は該形状に限定されるものではない。
【００２９】
また、本実施形態では、前記排水用筒状体３は、前述した通り、袋状本体２と同素材で一体に延成する構成としたが、本発明はこれに限定されない。
【００３０】
すなわち、図５に示すように、前記と同様の袋状本体２の下縁２ｃの左右方向中央部分に別体構成のゴムチューブ等のパイプ製の排水用筒状体２３を接合する場合もある。また、このように、排水用筒状体２３を袋状本体２と別体構成とする場合には、排水用筒状体２３を袋状本体２に対して着脱自在として、排水用筒状体２３を繰り返し使用するようにしても良い。この場合の前記着脱手段としては、例えば袋状本体２にリング状部材６を固着して該リング状部材６内にゴムチューブ等の前記排水用筒状体２３を差し込む構成とすることが挙げられる。
（実施形態２）
【００３１】
図６に示すように、本実施形態に係る流し台シンク用ゴミ袋３１は、袋状本体については、前述した実施形態１における袋状本体２と同様であるが、排水用筒状体については、袋状本体２の一側２ｄ下端部から横方向に伸びる排水用筒状体３３としたものである。該排水用筒状体３３は前記袋状本体２と一体のものとして延成する場合の他、前記図５に示した別体構成のゴムチューブ等の前記排水用筒状体２３を差し込む構成とすることが挙げられる。
【００３２】
なお、本実施形態に係る流し台シンク用ゴミ袋３１は、これを収容体（三角コーナーゴミ容器）に装着する場合には、前述した実施形態１においては、収容体５（三角コーナーゴミ容器）の底部に排水用筒状体３を挿通させる透孔５ａを形成したが、本実施形態では、このような透孔を収容体（三角コーナーゴミ容器）の側部に設けることとなる。
【００３３】
また、図７に示すように、本発明において、排水用筒状体は一本に限らず、複数本とする場合もあり、例えば袋状本体２の両側２ｄ・２ｅ下端にそれぞれ排水用筒状体３３Ａ・３３Ｂを設ける場合もある。
（実施形態３）
【００３４】
図８に示すように、本実施形態に係る流し台シンク用ゴミ袋４１は、その袋状本体４２が底部４２ａおよび側部４２ｂにマチＭを有する全体が直方体状の上部が開口した有底形態の自立可能なものであり、前述したような三角コーナーゴミ容器等の収容体を必要としないものである。
【００３５】
本実施形態の流し台シンク用ゴミ袋４１は、合成樹脂製のシートまたはフィルムやこれらとアルミニウム箔等とのラミネート材からなり、折り目４０に沿って折り畳み自在であり、前面部４１ｃに排水用筒状体４３が設けられている。
【００３６】
更に、本実施形態に係る流し台シンク用ゴミ袋４１は、その袋状本体４２の上縁寄り部分にジッパー４４が付設されて、袋状本体４２の上部開口４４ｄが開閉自在となされている。
【００３７】
そして、図９に示すように、前記袋状本体４２の折り目４０に沿って袋状本体４２の上部４２を折り畳んだ状で該上部４２同士を前記ジッパー４４で留めることによって、袋状本体４２が閉止された状態となるため、臭いの発生も軽減され得るし、その状態で廃棄できる。
【００３８】
本実施形態では、袋状本体の底部４２ａと側部４２ｂの両方にマチＭを設けたが、底部４２ａと側部４２ｂのいずれか一方だけにマチＭを設ける場合もある。
（実施形態４）
【００３９】
図１０に示すように、本実施形態に係る流し台シンク用ゴミ袋５１は、その袋状本体５２が前後二枚のアルミニウム蒸着フィルムからなる前面部５２Ａ・後面部５２Ｂと、同素材からなる底面部５２Ｃで構成され、前記前面部５２Ａにゴムチューブ等からなる排水用筒状体５３が付設されているものである。
【００４０】
そして、本実施形態に係る流し台シンク用ゴミ袋５１も前述した実施形態３のものと同様に、自立可能であって、別途三角コーナーゴミ容器等の収容体を必要としないものである。
【００４１】
本実施形態では、袋状本体５２を構成する前後二枚の前面部５２Ａ・後面部５２Ｂは、互いにそれらの左右両縁部５０ａ・５０ｂ同士が接着されており、また前面部５２Ａ・後面部５２Ｂによって形成される下部開口縁を塞ぐように前記底面部５２Ｃが接着されている。また、本実施形態では、前記右縁部５０ｂに指先サイズの摘み部６０が設けられ、該摘み部６０を指で持って当該ゴミ袋５１を廃棄でき、また袋状本体５２の上縁寄り部分にはジッパー５５が周設され、該ジッパー５５を留めることで袋状本体５２の上部開口を閉止することができる。
【００４２】
（実施形態５）
図１１に示すように、本実施形態に係るゴミ袋６１は、前後面からなる図５に記載の袋状本体２と同様のものについて、リング状部材６内にゴムチューブ等の前記排水用筒状体２３を差し込んだ構成において、該排水用筒状体２３を袋状本体２の下縁底部から斜め下方に突出させたものである。
【００４３】
なお、以上述べたいずれの実施形態に係る流し台シンク用ゴミ袋１・３１・４１・５１においても生ゴミの収容後の廃棄時には、  排水用筒状体３・２３・３３・４３・５３を結んだりして閉止した状態で廃棄することができ、従来の生ゴミ袋とは異なり、生ゴミの水分が滴り落ちるのを防止することができる。
【産業上の利用可能性】
【００４４】
本発明に係る流し台シンク用ゴミ袋は、生ゴミの水分を流し台の排水口に直接的に排水し得る排水用筒状体を有するため、流し台シンクを常に美麗に保つことができ、台所用品の技術分野において幅広い利用が期待できる。
【符号の説明】
【００４５】
１・３１・４１・５１  流し台シンク用ゴミ袋
２・４２・５２  袋状本体
３・２３・３３・４３・５３  排水用筒状体
５  流し台シンク用ゴミ袋
【要約】
【課題】  流し台シンクにおける生ゴミ等の廃棄に関し、その水分を流し台シンクの排水口に直接的に流すことで、流し台シンクの汚れの発生を有効に防止すると共に、三角コーナーゴミ容器についても清潔に使用できるようにする。
【解決手段】  流し台シンク用ゴミ袋１は、全体が合成樹脂製のシートまたはフィルム等で構成された上部が開口した袋状本体２を備え、該袋状本体２の底部に該袋状本体２と同素材等からなる排水用筒状体３が付設されており、該排水用筒状体３は流し台シンクにおけるコーナー部から排水口まで達する程度の長さを有する。
【選択図】  図１【図１】
0006968471.tif 000002
【図２】
0006968471.tif 000003
【図３】
0006968471.tif 000004
【図４】
0006968471.tif 000005
【図５】
0006968471.tif 000006
【図６】
0006968471.tif 000007
【図７】
0006968471.tif 000008
【図８】
0006968471.tif 000009
【図９】
0006968471.tif 000010
【図１０】
0006968471.tif 000011
【図１１】
0006968471.tif 000012